(57)【要約】【課題】本発明は、必要とされる材料費が安く、用紙を取り出す時及び挿入する時の取り扱いが容易である綴じ具を用いたファイルを提供する。【解決手段】本発明に係る綴じ具を用いたファイルは、表紙１、裏表紙２、及び背表紙３を有するとともに、該背表紙３及び／又は該表紙１及び該裏表紙２の一方に固定して、用紙５を綴じる少なくとも２つの独立したリング４と、前記用紙５を前記リング４内に導くため、それぞれの前記リング４に設けたスロットとを有する。前記リング４は剛体構成であって、回転することがないように前記背表紙３及び／又は前記表紙１及び前記裏表紙２の一方へ個々に固定されており、前記リング４は、内側へと突き出た支持面を有し、該支持面は、開いた状態で最も前記表紙１側及び／又は最も前記裏表紙２側にある用紙５のエッジ領域が当接する。【選択図】図１
2009248569.tif 000002
【特許請求の範囲】
【請求項１】
表紙、裏表紙、及び背表紙を有するとともに、該背表紙及び／又は該表紙及び該裏表紙の一方に固定して、用紙を綴じる少なくとも２つの独立したリングと、
前記用紙を前記リング内に導くため、それぞれの前記リングに設けたスロットと
を有する綴じ具を用いたファイルにおいて、
前記リングは剛体構成であって、回転することがないように前記背表紙及び／又は前記表紙及び前記裏表紙の一方へ個々に固定されており、
前記リングは内側へと突き出た支持面を有し、該支持面は、開いた状態で最も前記表紙側及び／又は最も前記裏表紙側にある前記用紙のエッジ領域が当接することを特徴とする綴じ具を用いたファイル。
【請求項２】
前記リングは、一体に成型されていることを特徴とする請求項１に記載の綴じ具を用いたファイル。
【請求項３】
前記支持面は、前記リングの中心から６０°±２０°の角度範囲に広がっていることを特徴とする請求項１又は２に記載の綴じ具を用いたファイル。
【請求項４】
前記リングは、楕円形であることを特徴とする請求項１乃至請求項３のいずれか一項に記載の綴じ具を用いたファイル。
【請求項５】
前記裏表紙に、前記リングを固定するための開口部が設けられていることを特徴とする請求項１乃至請求項４のいずれか一項に記載の綴じ具を用いたファイル。
【請求項６】
前記リングは、前記開口部に挿入するため、ブリッジによって互いに隔てられた２つの対向する直線状の溝を有していることを特徴とする請求項５に記載の綴じ具を用いたファイル。
【請求項７】
前記リングは、前記溝を有する領域に、平坦に構成された前記支持面を形成していることを特徴とする請求項６に記載の綴じ具を用いたファイル。
【請求項８】
前記裏表紙は、層構造を有し、
前記開口部は、前記裏表紙に設けた少なくとも１つの層に形成されていることを特徴とする請求項５乃至請求項７のいずれか一項に記載の綴じ具を用いたファイル。
【請求項９】
前記層の端部は、前記背表紙と平行になるように配置され、前記開口部を有することを特徴とする請求項８に記載の綴じ具を用いたファイル。
【請求項１０】
前記層の端部は、前記裏表紙の層を折り返し、あるいは折り畳むことで形成される折り目であることを特徴とする請求項９に記載の綴じ具を用いたファイル。
【請求項１１】
前記開口部は、少なくとも１つの切り欠きを備え、
前記リングは、前記溝に、該切り欠きと嵌合する少なくとも１つの突起を備えていることを特徴とする請求項５乃至請求項１０のいずれか一項に記載の綴じ具を用いたファイル。
【請求項１２】
前記突起が前記開口部へ挿入する位置を、用紙を取り出し又は挿入するための位置となるように、前記突起が前記切り欠きと嵌合する位置を、挿入したリングの前記開口部での終端位置となるように、前記突起を前記溝に配置することを特徴とする請求項１１に記載の綴じ具を用いたファイル。
【請求項１３】
前記溝は、平坦に構成された上部と底部との間に形成されており、
前記上部と前記底部とはブリッジで互いに接続され、
前記上部は、前記リングの内側方向の面に前記支持面が形成されていることを特徴とする請求項５乃至請求項１２のいずれか一項に記載の綴じ具を用いたファイル。
【請求項１４】
前記底部は、短辺方向の幅が前記上部の幅の少なくとも２倍あることを特徴とする請求項１３に記載の綴じ具を用いたファイル。
【請求項１５】
前記スロットは、前記背表紙と、前記表紙又は前記裏表紙との境界の方向に開口部を有しており、前記表紙を前記裏表紙に、又は前記裏表紙を前記表紙に、閉じる方向とは反対の方向に折り返すことで、用紙の取り出し又は挿入を行うことを特徴とする請求項１乃至請求項４のいずれか一項に記載の綴じ具を用いたファイル。
【発明の詳細な説明】
【技術分野】
【０００１】
本発明は、表紙、裏表紙、及び背表紙を有するとともに、背表紙及び／又は表紙及び裏表紙の一方へ固定して、用紙を綴じるための少なくとも２つの独立したリングを有する綴じ具を用いたファイルに関する。
【背景技術】
【０００２】
複数の用紙を綴じることができるようにした綴じ具を用いたファイル、バインダーなどが、数多く市販されている。しかしながら、らせんワイヤを用いて用紙を綴じるファイルやバインダーなどの場合には、新たな用紙を事後に挿入することが不可能である。新たな用紙を事後に挿入する場合には、リングバインダー又はリングファイルが使用される。らせんワイヤを用いて用紙を綴じるファイルやバインダー、リングバインダー又はリングファイルなどの有利な点については一般的に認識されている。
【０００３】
複数の用紙を綴じることができる簡単な形態として、スプリングバック・ファイルがある。スプリングバック・ファイルは、外側から押し込まれる締め付け具によって背表紙が形成されている。しかし、スプリングバック・ファイルは、ページを完全に開くことができず、ページを開くことができても開いたページが見苦しく湾曲するという問題点があった。さらに、開いたページは、保持したり重しで押さえたりしていない場合、勝手に閉じようとする傾向を有している。
【０００４】
一方、写真アルバムや、プレゼンテーション用フォルダなどの用途においては、審美的で魅力のある綴じ具を用いたファイルが望まれている。
【０００５】
例えば特許文献１に係る綴じ具を用いたファイルは、表紙、裏表紙、及び背表紙を有するとともに、表紙及び裏表紙の一方及び／又は背表紙へと固定した、用紙を綴じるための少なくとも２つの別々のリングを有しているファイルであって、それぞれのリングは、繰り返し開閉することが可能なように、少なくとも第１の接続点において互いに着脱可能に接続された２つの剛体部品で構成されている。このように、特許文献１に係る綴じ具を用いたファイルは、複数の用紙を綴じることが可能であるとともに、新たな用紙を事後に挿入することも可能である。
【０００６】
同様に、特許文献２に係る綴じ具を用いたファイルは、用紙を綴じる複数の別々のリングが裏表紙にねじ留めされている。それぞれのリングは、柔軟性のある材料で構成され、用紙の挿入及び取り出しの場合に曲げて開くことが可能であるとともに、常に元の形状に戻ろうとする性質を有している。
【０００７】
特許文献３に係る綴じ具を用いたファイルは、共通のベース板で裏表紙に固定された複数のフックを有している。フックは、共通の閉鎖板で閉じることが可能な大きなスロット又は開口部を有している。
【０００８】
特許文献４に係る綴じ具を用いたファイルは、共通のベース板に複数のフックを固定した構成、あるいは共通のベース板を機械加工して複数のフックを形成した構成のような複数のフックを有する構成を開示している。複数のフックを有する構成は、用紙を綴じた後に、ファイルの裏表紙へと固定又は押し込むことができる。また複数のフックを有する構成は、別々のリングで構成する場合に比べて、共通のベース板等の余分な材料費がかかる。特許文献５に係る綴じ具を用いたファイルは、複数のリングが共通のベース板に取り付けられている。この共通のベース板は、背表紙へと貼り付けられ、用紙を綴じたり外したりできるように背表紙のほぼ中央部で組み合わさる構成である。
【先行技術文献】
【特許文献】
【０００９】
【特許文献１】独国実用新案第２０  ２００６  ０１９  ３６５号明細書
【特許文献２】米国特許第５１５４５２８号明細書
【特許文献３】英国特許第５８７  １０８号明細書
【特許文献４】独国特許第１  ７４４  ８５０号明細書
【特許文献５】仏国特許第８７６  ２４５号明細書
【発明の概要】
【発明が解決しようとする課題】
【００１０】
特許文献２に係る綴じ具を用いたファイルは、通常、２つ以上のリングが設けてあり、それぞれのリングを別々に手で曲げて開かなければならないため、新たな用紙を事後に挿入することが面倒であるという問題があった。
【００１１】
また、特許文献３に係る綴じ具を用いたファイルは、フックが所定の間隔を空けて共通のベース板に配置されるので、特定形式の用紙に対応したファイルしか製造することができないという問題があった。さらに、特許文献３に係る綴じ具を用いたファイルは、閉鎖板という部品を新たに追加する必要があり、材料費が高くなるという問題があった。
【００１２】
特許文献４に係る綴じ具を用いたファイルも、ベース板等を新たに追加する必要があり、材料費が高くなるという問題があった。また、特許文献５に係る綴じ具を用いたファイルは、共通のベース板を背表紙から取り外すことが可能であるため、綴じられた用紙が意図せずに滑り出てしまうという問題があった。
【００１３】
本発明は上記事情を鑑みてなされたものであり、必要とされる材料費が安く、用紙の挿入時及び取り出し時の取り扱いが容易である綴じ具を用いたファイルを提供することを目的とする。
【課題を解決するための手段】
【００１４】
上記目的を達成するために第１発明に係る綴じ具を用いたファイルは、表紙、裏表紙、及び背表紙を有するとともに、該背表紙及び／又は該表紙及び該裏表紙の一方に固定して、用紙を綴じる少なくとも２つの独立したリングと、前記用紙を前記リング内に導くため、それぞれの前記リングに設けたスロットとを有する綴じ具を用いたファイルにおいて、
前記リングは剛体構成であって、回転することがないように前記背表紙及び／又は前記表紙及び前記裏表紙の一方へ個々に固定されており、前記リングは内側へと突き出た支持面を有し、該支持面は、開いた状態で最も前記表紙側及び／又は最も前記裏表紙側にある前記用紙のエッジ領域が当接することを特徴とする。
【００１５】
また、第２発明に係る綴じ具を用いたファイルは、第１発明において、前記リングは、一体に成型されていることを特徴とする。
【００１６】
また、第３発明に係る綴じ具を用いたファイルは、第１又は第２発明において、前記支持面は、前記リングの中心から６０°±２０°の角度範囲に広がっていることを特徴とする。
【００１７】
また、第４発明に係る綴じ具を用いたファイルは、第１乃至第３発明のいずれか１つにおいて、前記リングは、楕円形であることを特徴とする。
【００１８】
また、第５発明に係る綴じ具を用いたファイルは、第１乃至第４発明のいずれか１つにおいて、前記裏表紙に、前記リングを固定するための開口部が設けられていることを特徴とする。
【００１９】
また、第６発明に係る綴じ具を用いたファイルは、第５発明において、前記リングは、前記開口部に挿入するための、ブリッジによって互いに隔てられた２つの対向する直線状の溝を有していることを特徴とする。
【００２０】
また、第７発明に係る綴じ具を用いたファイルは、第６発明において、前記リングは、前記溝を有する領域に、平坦に構成された前記支持面を形成していることを特徴とする。
【００２１】
また、第８発明に係る綴じ具を用いたファイルは、第５乃至第７発明のいずれか１つにおいて、前記裏表紙は、層構造を有し、前記開口部は、前記裏表紙に設けた少なくとも１つの層に形成されていることを特徴とする。
【００２２】
また、第９発明に係る綴じ具を用いたファイルは、第８発明において、前記層の端部は、前記背表紙と平行になるように配置され、前記開口部を有することを特徴とする。
【００２３】
また、第１０発明に係る綴じ具を用いたファイルは、第９発明において、前記層の端部は、前記裏表紙の層を折り返し、あるいは折り畳むことで形成される折り目であることを特徴とする。
【００２４】
また、第１１発明に係る綴じ具を用いたファイルは、第５乃至第１０発明のいずれか１つにおいて、前記開口部は、少なくとも１つの切り欠きを備え、前記リングは、前記溝に、該切り欠きと嵌合する少なくとも１つの突起を備えていることを特徴とする。
【００２５】
また、第１２発明に係る綴じ具を用いたファイルは、第１１発明において、前記突起が前記開口部へ挿入する位置を、用紙を取り出し又は挿入するための位置となるように、前記突起が前記切り欠きと嵌合する位置を、挿入したリングの前記開口部での終端位置となるように、前記突起を前記溝に配置することを特徴とする。
【００２６】
また、第１３発明に係る綴じ具を用いたファイルは、第５乃至第１２発明のいずれか１つにおいて、前記溝は、平坦に構成された上部と底部との間に形成されており、前記上部と前記底部とはブリッジで互いに接続され、前記上部は、前記リングの内側方向の面に前記支持面が形成されていることを特徴とする。
【００２７】
また、第１４発明に係る綴じ具を用いたファイルは、第１３発明において、前記底部は、短辺方向の幅が前記上部の幅の少なくとも２倍あることを特徴とする。
【００２８】
また、第１５発明に係る綴じ具を用いたファイルは、第１乃至第４発明のいずれか１つにおいて、前記スロットは、前記背表紙と、前記表紙又は前記裏表紙との境界の方向に開口部を有しており、前記表紙を前記裏表紙に、又は前記裏表紙を前記表紙に、閉じる方向とは反対の方向に折り返すことで、用紙の取り出し又は挿入を行うことを特徴とする。
【００２９】
第１発明では、リングは内側へと突き出た支持面を有し、該支持面を、開いた状態で最も前記表紙側及び／又は最も前記裏表紙側にある用紙のエッジ領域と当接させている。したがって、綴じ具を用いたファイルは、用紙が意図せずに滑り出すことがなく、確実に用紙を綴じることができる。
【００３０】
第２発明では、リングは、一体に成型されている。したがって、リングに剛性を持たせることができる。
【００３１】
第３発明では、支持面は、リングの中心から６０°±２０°の角度範囲に広がっている。したがって、綴じ具を用いたファイルは、用紙のエッジ領域を当接させる支持面を広く確保して、用紙がリングから意図せずに滑り出すことを防止する。
【００３２】
第４発明では、リングは、楕円形であることを特徴とする。したがって、綴じ具を用いたファイルは、従来のリングバインダーに比べて、比較的スリムであって審美的に望ましい外観を有している。
【００３３】
第５発明では、裏表紙に、リングを固定するための開口部が設けられている。したがって、綴じ具を用いたファイルは、リングが回転することなく、容易に用紙をリングから取り出したり、挿入したりすることができる。
【００３４】
第６発明では、リングは、開口部に挿入するための２つの対向する直線状の溝を有している。したがって、綴じ具を用いたファイルは、開口部にリングを容易に挿入することができるとともに、リングを回転することがないように固定できる。
【００３５】
第７発明では、溝を有する領域に、平坦に構成された支持面を形成している。したがって、綴じ具を用いたファイルは、用紙のエッジ領域を当接させる支持面を確保して、用紙がリングから意図せずに滑り出すことを防止する。
【００３６】
第８発明では、開口部は、裏表紙に設けた少なくとも１つの層に形成されている。したがって、綴じ具を用いたファイルは、裏表紙にリングを固定する箇所がないので、審美的に望ましい外観を有している。
【００３７】
第９発明では、層の端部は、背表紙と平行になるように配置され、開口部を有する。したがって、綴じ具を用いたファイルは、開口部にリングを容易に挿入することができるとともに、用紙をすべてのリングに問題なく挿入できるよう、リングを同じ方向に整列させることができる。
【００３８】
第１０発明では、層の端部は、裏表紙の層を折り返し、あるいは折り畳むことで形成される折り目である。したがって、綴じ具を用いたファイルは、開口部の強度を向上させることで、裏表紙の層にリングを支持させる構造の耐久性が向上する。
【００３９】
第１１発明では、開口部は、少なくとも１つの切り欠きを備え、リングは、溝に、切り欠きと嵌合する少なくとも１つの突起を備えている。したがって、綴じ具を用いたファイルは、開口部に挿入するリングの位置決めが可能となることで、用紙の取り出し又は挿入が容易になる。
【００４０】
第１２発明では、突起が切り欠きと嵌合する位置を、挿入したリングの開口部での終端位置とする。したがって、綴じ具を用いたファイルは、リングを開口部に固定できるので、意図せずにリングが開口部から外れることはない。
【００４１】
第１３発明では、溝は、平坦に構成された上部と底部との間に形成されており、上部と底部とはブリッジで互いに接続されている。したがって、綴じ具を用いたファイルは、用紙のエッジ領域を当接させる支持面を確保できるとともに、支持面を回転することがないように固定できる。
【００４２】
第１４発明では、底部は、短辺方向の幅が上部の幅の少なくとも２倍ある。したがって、綴じ具を用いたファイルは、リングを安定して裏表紙等に固定することができる。
【００４３】
第１５発明では、スロットが、背表紙と、表紙又は裏表紙との境界の方向に開口部を有している。したがって、綴じ具を用いたファイルは、表紙を裏表紙に、又は裏表紙を表紙に、閉じる方向とは反対の方向に折り返すことで、用紙の取り出し又は挿入を容易に行うことができる。
【発明の効果】
【００４４】
上記構成によれば、リングが、内側へ突き出た支持面を有し、該支持面を、開いた状態で最下にある用紙のエッジ領域と当接させて用紙を綴じるので、必要とされる材料費が安く、用紙を取り出す時及び挿入する時の取り扱いが容易で、用紙が意図せずに滑り出すことがない効果を奏している。
【図面の簡単な説明】
【００４５】
【図１】本発明の実施の形態１に係る綴じ具を用いたファイルを開いた状態にした場合の平面図である。
【図２】本発明の実施の形態１に係る綴じ具を用いたファイルのリングの概略構成を示す拡大図である。
【図３】本発明の実施の形態１に係る綴じ具を用いたファイルの表紙、裏表紙、及び背表紙を展開した部分平面図である。
【図４】本発明の実施の形態１に係る綴じ具を用いたファイルの側面図である。
【図５】本発明の実施の形態１に係る綴じ具を用いたファイルの表紙、裏表紙、及び背表紙の側面図である。
【図６】本発明の実施の形態２に係る綴じ具を用いたファイルを開いた状態にした場合の平面図である。
【図７】本発明の実施の形態２に係る綴じ具を用いたファイルのリングの側面図である。
【図８】本発明の実施の形態２に係る綴じ具を用いたファイルを開いた状態の側面図である。
【図９】本発明の実施の形態２に係る綴じ具を用いたファイルを閉じた状態の側面図である。
【図１０】本発明の実施の形態２に係る綴じ具を用いたファイルから用紙を取り出す状態の側面図である。
【図１１】本発明の実施の形態２に係る綴じ具を用いたファイルを開いた状態にした場合の変形例の側面図である。
【発明を実施するための形態】
【００４６】
（実施の形態１）
図１は、本発明の実施の形態１に係る綴じ具を用いたファイルを開いた状態にした場合の平面図である。図１に示しているように、本実施の形態１に係る綴じ具を用いたファイルは、表紙１、裏表紙２、背表紙３、裏表紙２に固定され、用紙５を綴じる複数の独立したリング４、４、４を備えている。なお、本実施の形態１では、リング４を３つ備えた場合について説明しているが、リング４の数は３つに限定されるものではなく、２つ以上のリング４を備えていれば何個備えていても良い。
【００４７】
表紙１、裏表紙２及び背表紙３は、１枚の材料で構成され、表紙１又は裏表紙２と背表紙３との間に孔又は溝を適切に設けることで、表紙１又は裏表紙２と背表紙３との間を折り曲げることを可能にしている。背表紙３は、少なくとも折り畳むことができない程度の堅さ（剛性）を有している。表紙１、裏表紙２及び背表紙３に用いられる材料は、例えばボール紙、皮革、プラスチック材料、金属などの材料が適用可能である。リング４は、裏表紙２の長辺方向に３つ設けられ、綴じ具を用いたファイルは、用紙５に設けた孔にそれぞれのリング４を通すことで、用紙５を綴じることが可能となる。
【００４８】
図２は、本発明の実施の形態１に係る綴じ具を用いたファイルのリング４の概略構成を示す拡大図である。図２（ａ）は、リング４の側面図である。図２（ｂ）は、図２（ａ）に示すリング４をＡ−Ａ面で切断した断面図である。図２（ｃ）は、図２（ａ）に示すリング４をＢ−Ｂ面で切断した断面図である。図２（ｄ）は、図２（ａ）に示すリング４をＣ−Ｃ面で切断した断面図である。図２（ａ）に示しているように、リング４はスロット４ａを除いた部分は閉じた構成である。なお、リング４は、一体に成型され、剛性を有しており、例えば、プラスチック又は金属などの材料で構成される。
【００４９】
リング４は、楕円形状であり、長軸方向に、楕円の内向きに突き出した用紙５を支持する支持面４ｄを有している。なお、リング４の形状は、楕円形状に限定されるものではなく、円形状や、近似的に楕円形状や円形状とみなせる形状でも良い。支持面４ｄは、リング４の長軸方向に平坦となっている上部４ｅの上面に形成されている。上部４ｅは、ブリッジ４ｆを介してリング４の長軸方向に平坦となっている底部４ｇへと接続されている。図２（ｃ）に示すように、上部４ｅと底部４ｇの間には、ブリッジ４ｆによって互いに隔てられた２つの対向する直線状の溝４ｈ、４ｉが設けられている。底部４ｇの短辺方向の幅（図２（ａ）の紙面に向かって垂直な方向）は、上部４ｅの短辺方向の幅よりも広く、２倍の幅を有していることが好ましい。そのため、裏表紙２等と接触させる底部４ｇとの接触面４ｂが広くなるので、リング４を安定して裏表紙２等に固定できる。また、支持面４ｄは、リング４の楕円中心Ｏから６０°±２０°の角度範囲の広さを有している。ここで、リング４は楕円形状であるので、楕円中心Ｏをリング４の中心としているが、リング４の形状が楕円形状や円形状からずれる場合であっても、リング４の形状を近似的に楕円形状や円形状とみなして、その楕円中心や円中心をリング４の中心とする。また、リング４は、図２（ｂ）に示すように、断面がＨ字形状であり、当該形状にすることで剛性を高めている。また、図２（ｄ）に示すように、リング４には、後述する突起４ｋ、４ｊが溝４ｈ、４ｉに設けられている。
【００５０】
図３は、本発明の実施の形態１に係る綴じ具を用いたファイルの表紙１、裏表紙２、及び背表紙３を展開した部分平面図である。図３に示すように、裏表紙２は、リング４を取り付ける位置に、リング４の溝４ｈ、４ｉを挿入することができる開口部８を有している。後述する図５（ａ）に示すように、裏表紙２を２回折り畳むことで層構造を有し、層２ｂ上に層２ａが折り重なる領域を形成している。層２ａと層２ｂとの折り返し部分を層端部２ｃとする。図３に戻って、開口部８は、層２ａと層２ｂとを跨ぎ、層端部２ｃとなるラインを軸に左右対称に形成されている。そのため、層２ａと層２ｂとを折り重ねることで、開口部８は、層端部２ｃから層２ａ及び層２ｂに切り込んだスリット形状となる。このスリットにリング４の溝４ｈ、４ｉを嵌合させて、リング４を開口部８に挿入する
【００５１】
図４は、本発明の実施の形態１に係る綴じ具を用いたファイルの側面図である。図４（ａ）は、本発明の実施の形態１に係る綴じ具を用いたファイルを閉じた状態の側面図である。図４（ｂ）は、本発明の実施の形態１に係る綴じ具を用いたファイルを開いた状態の側面図である。図４（ｃ）は、本発明の実施の形態１に係る綴じ具を用いたファイルのリング４を移動させた状態の側面図である。図４（ｄ）は、本発明の実施の形態１に係る綴じ具を用いたファイルから用紙５を取り出す状態の側面図である。図４（ａ）に示すように、綴じ具を用いたファイルを閉じた状態では、リング４は、裏表紙２の折り返した部分に完全に押し込まれた位置にあり、この位置が綴じ状態のリング４の位置である。リング４がこの位置にある場合、用紙５を挿入及び取り出すためのスロット４ａは、裏表紙２によって閉じられている。図４（ｂ）に示すように、綴じ具を用いたファイルを開いた状態にしても、リング４は、裏表紙２の折り返した部分に完全に押し込まれた位置（綴じ状態のリング４の位置）のままである。したがって、綴じ具を用いたファイルを開いた状態でも、まだスロット４ａは、裏表紙２によって塞がれているので、用紙５がリング４から滑り出すことはない。さらに、綴じ具を用いたファイルを開いた状態で、最も裏表紙２側にある用紙５ｂ及び最も表紙１側にある用紙５ｃのそれぞれのエッジ領域５ａは、リング４の支持面４ｄに当接するように、該支持面４ｄの形状が設計されているので、用紙５がリング４から滑り出ることはない。ここで、用紙５のエッジ領域５ａは、用紙５をリング４に綴じた場合にリング４の内側に位置する用紙５の端辺近傍の領域のことである。
【００５２】
用紙５を取り出す場合又は用紙５を挿入する場合、図４（ｃ）に示すように、綴じ具を用いたファイルでは、リング４を、表紙１の方向（図４（ｃ）の紙面に向かって左方向）に移動させる。リング４を移動させた位置が開放状態のリング４の位置で、この位置では、裏表紙２がスロット４ａを塞いでいない。リング４を移動させた状態で、図４（ｄ）に示すように、綴じ具を用いたファイルでは、裏表紙２に対して１８０°開いていた表紙１及び背表紙３を、２７０°まで開き（例えば、表紙１及び背表紙３をテーブルの縁を覆うように下方へと折り曲げる、又は裏表紙２まで折り返す）、背表紙３がスロット４ａを塞がない状態にする。図４（ｄ）に示すように、開放されたスロット４ａから、用紙５の取り出し及び挿入が可能となる。用紙５の取り出し、挿入が終わった時点で、リング４を図４（ｂ）で示したファイルを閉じる位置に戻し、スロット４ａを裏表紙２で塞ぐ。
【００５３】
層端部２ｃの近傍にある層２ａ、層２ｂが、開口部８へのリング４の挿入を阻害する張り出しとならないように、層２ａと層２ｂとの折り返し部分を、裏表紙２の厚さの約５０〜７０％になるように形成することが望ましい。加えて、層２ａと層２ｂとを、選択された点又は平面の全体において互いに接着剤で固定し、接着した層２ａ、２ｂを裏表紙２へと接着剤で固定しても良い。その場合、当然ながら、リング４の底部４ｇを層２ｂと裏表紙２との間に挿入することができるよう、開口部８の領域では、層２ｂと裏表紙２とを接着してはならない。
【００５４】
図３に戻って、開口部８には、１対の対向する切り欠き８ａ、８ｂを設けることができる。切り欠き８ａ、８ｂは、図２（ｄ）に示すリング４の突起４ｊ、４ｋと嵌合する形状である。ここで、突起４ｊ、４ｋを開口部８に挿入する位置を、用紙５を取り出す又は挿入するための位置（開放状態のリング４の位置）と定めるべく、突起４ｊ、４ｋがリング４の溝４ｈ，４ｉに設けられている。そのため、リング４が開口部８の奥に押し込まれると、突起４ｊ、４ｋは、開口部８をわずかに押し広げて、切り欠き８ａ、８ｂと嵌合する位置まで移動する。突起４ｊ、４ｋと切り欠き８ａ、８ｂとが嵌合する位置が、挿入したリング４の開口部８での終端位置（綴じ状態のリング４の位置）である。このように、リング４に突起４ｊ、４ｋ、開口部８に切り欠き８ａ、８ｂをそれぞれ設けることで、開口部８におけるリング４の位置を確実に保持することができる。なお、開口部８におけるリング４の位置を決める構成は、リング４に設ける突起４ｊ、４ｋ及び開口部８に設ける切り欠き８ａ、８ｂの構成に限定されるものではなく、例えば、開口部８における裏表紙２の厚さをリング４の溝４ｈ、４ｉの幅に対して変化させて開口部８におけるリング４の位置を決める構成でも良い。また、開口部８に設ける切り欠きは、一対の切り欠き８ａ、８ｂに限定されるものではなく、少なくとも１つの切り欠きを設ければ良い。
【００５５】
図５は、本発明の実施の形態１に係る綴じ具を用いたファイルの表紙１、裏表紙２、及び背表紙３の側面図である。図５（ａ）は、図３に示す綴じ具を用いたファイルの表紙１、裏表紙２、及び背表紙３を折り畳んだ場合の側面図である。図５（ｂ）及び図５（ｃ）は、本発明の実施の形態１の変形例に係る綴じ具を用いたファイルの表紙１、裏表紙２、及び背表紙３を折り畳んだ場合の側面図である。図５（ａ）に示す裏表紙２は、層２ｂの上に層２ａが折り重なるように裏表紙２を２回折り畳み、層２ａと層２ｂとの折り返し部分を層端部２ｃとしている。図５（ｂ）に示す裏表紙２は、１回折り畳み、層２ａを形成し、層２ａの端を層端部２ｃとしている。図５（ｃ）に示す裏表紙２は、層２ａの上に層２ｂが折り重なるように裏表紙２を２回折り畳み、層２ａと層２ｂとの折り返し部分を層端部２ｃとしている。なお、図５（ｂ）及び図５（ｃ）に示す裏表紙２は、層２ａと裏表紙２との折り畳む位置が背表紙３より遠い位置にある。
【００５６】
（実施の形態２）
図６は、本発明の実施の形態２に係る綴じ具を用いたファイルを開いた状態にした場合の平面図である。図７は、本発明の実施の形態２に係る綴じ具を用いたファイルのリング４の側面図である。図８は、本発明の実施の形態２に係る綴じ具を用いたファイルを開いた状態の側面図である。図９は、本発明の実施の形態２に係る綴じ具を用いたファイルを閉じた状態の側面図である。理解を容易にするために、図６〜図９は、図１〜図５に示した構成要素と同じ構成要素については同じ参照符号を付与している。図６に示すように、綴じ具を用いたファイルは、表紙１、裏表紙２、背表紙３、背表紙３に固定され、用紙５を綴じる複数の独立したリング４、４、４を備えている。なお、本実施の形態２でも、リング４を３つ備えた場合について説明しているが、リング４の数は３つに限定されるものではなく、２つ以上のリング４を備えていれば何個備えていても良い。
【００５７】
表紙１、裏表紙２及び背表紙３は、１枚の材料で構成され、表紙１及び裏表紙２と背表紙３との間に孔又は溝を適切に設けることで、表紙１及び裏表紙２と背表紙３との間を折り曲げることを可能にしている。背表紙３は、少なくとも折り畳むことができない程度の堅さ（剛性）を有している。表紙１、裏表紙２及び背表紙３に用いられる材料は、例えばボール紙、皮革、プラスチック材料、金属などの材料が適用可能である。リング４は、背表紙３の長辺方向に５つ設けられ、綴じ具を用いたファイルは、用紙５に設けた孔にそれぞれのリング４を通すことで、用紙５を綴じることが可能となる。
【００５８】
図７に示すように、リング４は、一体に成型され、スロット４ａを除いて閉じた構成である。なお、リング４は、例えば、プラスチック又は金属などの材料で構成される。
【００５９】
さらに、リング４は、平坦な接触面４ｂを有しており、背表紙３にこの接触面４ｂを接触させて、背表紙３に固定される。
【００６０】
リング４は、ねじ留め、リベット留め、又は接着によって背表紙３に固定される。また、背表紙３に対して回転しないようにリング４を取り付けることも可能である。
【００６１】
図８に示すように、リング４は、ねじ６によって背表紙３に固定されている。なお、接触面４ｂには、図７に示すように、固定の際に背表紙３を部分的に貫き、リング４の固定の際及び綴じ具を用いたファイルの使用の際に、リング４が背表紙３に対してねじれるのを防止する保持ピン４ｃ、４ｃを設けている。
【００６２】
リング４は、接触面４ｂが設けられている反対側の面に用紙５を支持する支持面４ｄを有している。支持面４ｄは、リング４の内側へと突き出した面であり、接触面４ｂとともに平坦であることが望ましい。なお、支持面４ｄは、リング４の楕円中心Ｏから６０°±２０°の角度範囲に広さを有している。さらに、図８に示すように、綴じ具を用いたファイルを開いた状態で、最も裏表紙２にある用紙５ｂ及び最も表紙１側にある用紙５ｃのそれぞれのエッジ領域５ａは、リング４の支持面４ｄに当接するように、該支持面４ｄの形状が設計されているので、用紙５がリング４から滑り出ることはない。
【００６３】
図７に示すように、スロット４ａは、接触面４ｂの縁に配置されている。最も裏表紙２側にある用紙５ｂは、エッジ領域５ａがリング４の内側へと突き出した状態で支持面４ｄ上に位置している。したがって、支持面４ｄは、用紙５がスロット４ａに向かって滑り出ることがないように用紙５を支持している。
【００６４】
スロット４ａは、弓形である。支持面４ｄの広さ、スロット４ａの開口する向き、及びスロット４ａの幅は、リング４で１枚以上の用紙５を同時に綴じるためにスロット４ａへと導くこと、用紙５を通常めくる場合に用紙５が滑り出さないことを実現できるように決められている。
【００６５】
リング４は、基本的に用紙５を問題なくめくることができる適切な形状を有している。例えば、リング４の形状は、円形状又は楕円形状が適切である。
【００６６】
リング４は、わずかに細長い楕円形状であり、一方の短辺に接触面４ｂが形成され背表紙３に固定されている。リング４を細長い楕円形状にすることで、綴じ具を用いたファイルは、閉じた状態において厚みをスリムにすることができるとともに、可能な限り多くの用紙５を綴じることができるという利点を有している。図９に示すように、表紙１及び裏表紙２にリング４を部分的に突き出すことができる開口を設け、綴じ具を用いたファイルを閉じた場合に該開口からリング４の一部を突き出させる。このように、表紙１及び裏表紙２の厚さによって、綴じ具を用いたファイルの厚みが増すことがないため、用紙５を可能な限り挿入したとしても、綴じ具を用いたファイルの厚みをスリムにすることができる。
【００６７】
図１０は、本発明の実施の形態２に係る綴じ具を用いたファイルから用紙５を取り出す状態の側面図である。図１０に示すように、スロット４ａの開口部は、背表紙３と裏表紙２との境界の方向に向いている。そのため、綴じ具を用いたファイルは、用紙５を取り出す場合や用紙５を挿入する場合に、スロット４ａを裏表紙２で塞がないように、通常の閉じる方向とは反対の方向に裏表紙２を表紙１の側に折り返すことで、用紙５をスロット４ａに導くことができる。スロット４ａの幅に応じて、一度にスロット４ａに導くことが可能な用紙５の枚数が決まる。用紙５の取り出し又は挿入が終わった時点で、裏表紙２は元に折り返されて、図８又は図９に示す状態となる。
【００６８】
本実施の形態２に係る綴じ具を用いたファイルは、実際に試行したところ、比較的厚い用紙５に関する限り、用紙５が意図せずに滑り出すことがない。例えば、１平方メートル当たりに換算した用紙５の厚さが７０〜１００ｇ／ｍ２以上である場合、本実施の形態２に係る綴じ具を用いたファイルは用紙５が意図せずに滑り出すことがない。しかし、１平方メートル当たりに換算した用紙５の厚さが７０〜１００ｇ／ｍ２より薄い場合、本実施の形態２に係る綴じ具を用いたファイルは、意図せずに用紙５が滑り出すのを防止するためにＶ字形に折り曲げられた閉じ用紙を用いる必要がある。図１１は、本発明の実施の形態２に係る綴じ具を用いたファイルを開いた状態の変形例の側面図である。図１１に示すように、綴じ具を用いたファイルは、最も裏表紙２側にある用紙５ｂのさらに裏表紙２側に、Ｖ字形に折り曲げられた閉じ用紙７を綴じている。綴じ具を用いたファイルは、閉じ用紙７を綴じることで、比較的薄い用紙５でも、用紙５が意図せずに滑り出すことを防止できる。
【００６９】
上述の綴じ具を用いたファイルは、複数の用紙５を綴じることができる審美的に望ましいファイルを提供する。また、上述の綴じ具を用いたファイルは、従来の魅力に乏しいリングバインダー及びファイルに比べて卓越しているので、見る者の関心を引き起こす機会が存在する。
【００７０】
さらに、上述の綴じ具を用いたファイルは、用紙５の取り出し又は挿入が容易でありながら、挿入された用紙５を確実に保持できる。
【００７１】
上述の綴じ具を用いたファイルの考えられる用途としては、写真アルバム及びプレゼンテーション用フォルダが挙げられる。
【符号の説明】
【００７２】
１  表紙
２  裏表紙
３  背表紙
４  リング
４ａ  スロット
４ｂ  接触面
４ｃ  保持ピン
４ｄ  支持面
４ｅ  上部
４ｆ  ブリッジ
４ｇ  底部
４ｈ、４ｉ  溝
４ｊ、４ｋ  突起
５  用紙
６  ねじ
７  閉じ用紙
８  開口部
８ａ、８ｂ  切り欠き
【図１】
2009248569.tif 000003
【図２】
2009248569.tif 000004
【図３】
2009248569.tif 000005
【図４】
2009248569.tif 000006
【図５】
2009248569.tif 000007
【図６】
2009248569.tif 000008
【図７】
2009248569.tif 000009
【図８】
2009248569.tif 000010
【図９】
2009248569.tif 000011
【図１０】
2009248569.tif 000012
【図１１】
2009248569.tif 000013